(57)【特許請求の範囲】
【請求項１】
一対の主面を有するベース部と、前記ベース部内に設けられた複数の光拡散部と、を有する取出導光層と、
各光拡散部にそれぞれ対応して設けられた複数の遮光部と、を備え、
各遮光部は、対応する一つの光拡散部に前記取出導光層の法線方向から対向する位置に配置されており、
前記複数の光拡散部が、第１方向に沿って配列され、
前記遮光部の前記第１方向に沿った幅は、当該遮光部に対応する光拡散部の前記第１方向に沿った幅よりも広く、
前記第１方向および前記取出導光層の法線方向の両方に平行な主切断面において、前記光拡散部の前記第１方向における一方の側の端部と当該光拡散部に対応する遮光部の前記第１方向における前記一方の側の端部との間の前記第１方向に沿った距離ｘと、当該遮光部の当該光拡散部に対向する面と当該光拡散部の当該遮光部に対向する側とは反対側の端部との間の前記取出導光層の法線方向に沿った距離ｙと、前記ベース部の屈折率ｎ１と、前記第１方向に沿って隣り合う二つの遮光部の間において前記ベース部に隣接する部位の屈折率ｎ２とが、次の条件を満たす、導光板。
ａｒｃｔａｎ（ｙ／ｘ）≦ａｒｃｃｏｓ（ｎ２／ｎ１）
【請求項２】
前記光拡散部は、当該光拡散部に対応する遮光部に前記取出導光層の法線方向に沿って対向する領域内に配置されている、請求項１に記載の導光板。
【請求項３】
前記取出導光層に隣接して配置された低屈折率層を、さらに備え、
前記低屈折率層の屈折率は、前記ベース部の屈折率よりも低く、
前記遮光部は、前記低屈折率層の前記取出導光層に対面する側とは反対側に配置されている、請求項１または２に記載の導光板。
【請求項４】
前記複数の遮光部の前記取出導光層に対面する側とは反対側に配置されたカバー層を、さらに備え、
前記低屈折率層は、前記遮光部及び前記カバー層と、前記取出導光層と、を接合する接合層である、請求項３に記載の導光板。
【請求項５】
前記複数の遮光部の前記取出導光層に対面する側とは反対側に配置され且つ前記複数の遮光部を支持するカバー層と、
前記遮光部と、当該遮光部に対応する光拡散部と、の間に配置されたスペーサーと、をさらに備える、請求項１または２に記載の導光板。
【請求項６】
前記カバー層は、前記取出導光層の前記ベース部よりも高い耐擦傷性を有している、請求項４または５に記載の導光板。
【請求項７】
前記第１方向に隣り合ういずれか二つの光拡散部が、当該二つの光拡散部の前記第１方向に沿った離間間隔ｄと、前記取出導光層の法線方向に沿った当該二つの光拡散部の高さｈ１，ｈ２と、前記ベース部の屈折率ｎ１と、前記第１方向に沿って隣り合う二つの遮光部の間において前記ベース部に隣接する部位の屈折率ｎ２とが、次の条件を満たす、請求項１〜６のいずれか一項に記載の導光板。
ｔａｎ（ａｒｃｓｉｎ（ｎ２／ｎ１））≦ｄ／（ｈ１＋ｈ２）
【請求項８】
前記取出導光層の法線方向に沿った前記光拡散部の高さは、一定ではない、請求項１〜７のいずれか一項に記載の導光板。
【請求項９】
少なくとも一つの光拡散部の前記取出導光層の法線方向に沿った高さは、当該一つの光拡散部よりも前記第１方向において一側に位置する少なくとも一つの他の光拡散部の前記取出導光層の法線方向に沿った高さよりも高い、請求項１〜８のいずれか一項に記載の導光板。
【請求項１０】
一つの光拡散部の前記取出導光層の法線方向に沿った高さは、当該一つの光拡散部よりも前記第１方向において一側に位置する他の光拡散部の前記取出導光層の法線方向に沿った高さ以上である、請求項１〜９のいずれか一項に記載の導光板。
【請求項１１】
前記ベース部は、前記一対の主面のうちの一方の主面に前記第１方向に間隔をあけて複数の溝を形成され、
前記光拡散部は、前記溝内に設けられている、請求項１〜１０のいずれか一項に記載の導光板。
【請求項１２】
各光拡散部は、前記第１方向と非平行な方向に線状に延びている、請求項１〜１１のいずれか一項に記載の導光板。
【請求項１３】
光源と、
前記光源からの光を受ける請求項１〜１２のいずれか一項に記載の導光板と、を備える、照明装置。
【発明の詳細な説明】
【技術分野】
【０００１】
本発明は、導光板および導光板を含んだ照明装置に係り、とりわけ光を取り出すための取出要素を目立たなくさせることができる導光板および照明装置に関する。
【背景技術】
【０００２】
例えば特許文献１に開示されているように、導光板と、導光板の側面に対面するように配置された光源と、を用いた照明装置が知られている。この照明装置では、光源で発光された光は導光板の一対の主面で反射を繰り返して当該導光板内を進む。導光板の裏側の主面には、拡散性物質がパターニングされて設けられている。導光板内を進む光は、拡散性物質で進行方向を変化させられることにより、導光板の主面に全反射臨界角度未満の角度で入射し、この結果、当該主面を介して導光板から出射するようになる。すなわち、拡散性物質は導光板から光を取り出すための取出要素として機能する。そして、拡散性物質のパターンは、導光方向に沿った所望の出射光量分布を実現し得るように決定される。典型的な例として、導光方向に沿った各領域からの出射光量を均一化する場合には、光源から離間した領域において出射光量が低下しやすくなるといった傾向を鑑み、光源から離間するにつれて面積が増大するよう、拡散性物質のパターンが決定される。
【先行技術文献】
【特許文献】
【０００３】
【特許文献１】特開平１０−１６０９３８号公報
【発明の概要】
【発明が解決しようとする課題】
【０００４】
しかしながら、従来の導光板を用いた照明装置では、各領域からの出射光量を制御するための拡散性物質が視認されてしまうという不具合が生じている。とりわけ、拡散反射性物質がパターニングされている場合には、当該拡散性物質のパターンが視認されることになり、意匠性の低下や高級感の喪失等の外観上の問題から、従来の照明装置の使用範囲が制限されてきた。
【０００５】
本発明は、以上の点を考慮してなされたものであり、光を取り出すための取出要素を目立たなくさせることができる導光板、及び、この導光板を含む照明装置を提供することを目的とする。
【課題を解決するための手段】
【０００６】
本発明による導光板は、
一対の主面を有するベース部と、前記ベース部内に設けられた複数の光拡散部と、を有する取出導光層と、
各光拡散部にそれぞれ対応して設けられた複数の遮光部と、を備え、
各遮光部は、対応する一つの光拡散部に前記取出導光層の法線方向から対向する位置に配置されている。
【０００７】
本発明による導光板において、複数の光拡散部が、第１方向に沿って配列され、遮光部の前記第１方向に沿った幅は、当該遮光部に対応する光拡散部の前記第１方向に沿った幅よりも広くなっていてもよい。
【０００８】
本発明による導光板において、複数の光拡散部が、第１方向に沿って配列され、前記光拡散部は、当該光拡散部に対応する遮光部に取出導光層の法線方向に沿って対向する領域内に配置されていてもよい。
【０００９】
本発明による導光板において、第１方向および取出導光層の法線方向の両方に平行な主切断面において、光拡散部の前記第１方向における一方の側の端部と当該光拡散部に対応する遮光部の前記第１方向における前記一方の側の端部との間の前記第１方向に沿った距離ｘと、当該遮光部の当該光拡散部に対向する面と当該光拡散部の当該遮光部に対向する側とは反対側の端部との間の前記取出導光層の法線方向に沿った距離ｙと、前記ベース部の屈折率ｎ１と、前記第１方向に沿って隣り合う二つの遮光部の間において前記ベース部に隣接する層の屈折率ｎ２とが、次の条件を満たしていてもよい。
ａｒｃｔａｎ（ｙ／ｘ）≦ａｒｃｃｏｓ（ｎ２／ｎ１）
【００１０】
本発明による導光板において、取出導光層に隣接して配置された低屈折率層を、さらに備え、前記低屈折率層の屈折率は、ベース部の屈折率よりも低く、遮光部は、前記低屈折率層の取出導光層に対面する側とは反対側に配置されていてもよい。
【００１１】
本発明による導光板において、複数の遮光部の取出導光層に対面する側とは反対側に配置されたカバー層を、さらに備え、低屈折率層は、前記遮光部及び前記カバー層と、前記取出導光層と、を接合する接合層であってもよい。
【００１２】
本発明による導光板において、複数の遮光部の取出導光層に対面する側とは反対側に配置され且つ前記複数の遮光部を支持するカバー層と、前記遮光部と、当該遮光部に対応する光拡散部と、の間に配置されたスペーサーと、をさらに備えていてもよい。
【００１３】
本発明による導光板において、カバー層は、取出導光層のベース部よりも高い耐擦傷性を有していてもよい。
【００１４】
本発明による導光板において、複数の光拡散部が、第１方向に沿って配列され、前記第１方向に隣り合ういずれか二つの光拡散部が、当該二つの光拡散部の前記第１方向に沿った離間間隔ｄと、取出導光層の法線方向に沿った当該二つの光の光拡散部の高さｈ１，ｈ２と、ベース部の屈折率ｎ１と、前記第１方向に沿って隣り合う二つの遮光部の間において前記ベース部に隣接する層の屈折率ｎ２とが、次の条件を満たしていてもよい。
ｔａｎ（ａｒｃｓｉｎ（ｎ２／ｎ１））≦ｄ／（ｈ１＋ｈ２）
【００１５】
本発明による導光板において、取出導光層の法線方向に沿った光拡散部の高さは、一定ではなくてもよい。
【００１６】
本発明による導光板において、少なくとも一つの光拡散部の取出導光層の法線方向に沿った高さは、当該一つの光拡散部よりも第１方向において一側に位置する少なくとも一つの他の光拡散部の前記取出導光層の法線方向に沿った高さよりも高くてもよい。
【００１７】
本発明による導光板において、一つの光拡散部の取出導光層の法線方向に沿った高さは、当該一つの光拡散部よりも第１方向において一側に位置する他の光拡散部の前記取出導光層の法線方向に沿った高さ以上であってもよい。
【００１８】
本発明による導光板において、ベース部は、一対の主面のうちの一方の主面に第１方向に間隔をあけて複数の溝を形成され、光拡散部は、前記溝内に設けられていてもよい。
【００１９】
本発明による導光板において、各光拡散部は、第１方向と非平行な方向に線状に延びていてもよい。
【００２０】
本発明による照明装置は、
光源と、
前記光源からの光を受ける上述の導光板と、を備える。
【発明の効果】
【００２１】
本発明によれば、導光板から光を取り出すための取出要素を目立たなくさせることができる。
【図面の簡単な説明】
【００２２】
【図１】図１は、本発明の一実施の形態を説明するための図であって、照明装置および導光板を示す縦断面図である。
【図２】図２は、照明装置および導光板を示す部分斜視図である。
【図３】図３は、照明装置および導光板を示す平面図である。
【図４】図４は、図１の導光板を示す部分拡大図である。
【図５】図５は、図１の導光板を示す部分拡大図である。
【図６】図６は、図１の導光板を示す部分拡大図である。
【図７】図７は、図５に対応する図であって、導光板の一変形例を示す図である。
【図８】図８は、図５に対応する図であって、導光板の他の変形例を示す図である。
【図９】図９は、図５に対応する図であって、導光板のさらに他の変形例を示す図である。
【発明を実施するための形態】
【００２３】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２４】
本明細書において、「板」、「シート」、「フィルム」の用語は、呼称の違いのみに基づいて、互いから区別されるものではない。例えば、「導光板」はシートやフィルムと呼ばれ得るような部材をも含む概念であり、したがって、「導光板」は、「導光シート」や「導光フィルム」と呼ばれる部材と、呼称の違いのみにおいて区別され得ない。
【００２５】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。
【００２６】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２７】
図１〜図６は、本発明による一実施の形態を説明するための図である。このうち図１は、本実施の形態の照明装置および導光板を示す縦断面図である。図２は、照明装置および導光板を示す部分斜視図である。図３は、照明装置および導光板を示す平面図である。図４〜図６は、図１の導光板を示す部分拡大図である。なお、図１及び図４〜図６に示された断面は、図３のＡ−Ａ線に沿った断面を示している。
【００２８】
照明装置１０は、面状に光を発光する装置であり、例えば室内または屋外の照明、広告用照明、表示装置用のバックライト等、種々の用途に使用され得る。とりわけ、店舗におけるショーウィンドウやショーケースのように、空間を一方側と他方側に仕切り、一方側に位置する商品等を照明し、且つ、他方側から一方側に位置する商品等を視認することができる仕切部材に好適に使用され得る。図１〜図３に示すように、照明装置１０は、いわゆるエッジライト型の照明装置として構成され、導光板３０と、導光板３０の側方に配置された発光体２２を含む光源２０と、を有している。導光板３０は、平板状に形成され、一対の対向する主面として第１主面３１ａ及び第２主面３１ｂを有している。図示された例では、第１主面３１ａが、照明装置１０の出光面１０ａを形成し、第２主面３１ｂが、出光面１０ａとは反対側の反対面（非発光面）１０ｂを形成している。なお、導光板３０を、例えばその板面が鉛直方向と略平行になるようにして用いる場合、すなわち導光板３０を立てた状態で用いる場合、光源２０は、導光板３０の側方、上方、下方のいずれに配置してもよい。また、図１〜図３には、光源２０から照射された光が直接導光板３０に入射するようになっている照明装置１０が示されているが、これに限らず、光源２０から照射された光が、鏡やプリズム等の光路変更手段を介して導光板３０に入射するようになっていてもよい。
【００２９】
図示する例において、平板状の導光板３０は、平面視において四角形形状に形成されている。したがって、一対の主面である第１主面３１ａ及び第２主面３１ｂも、四角形形状に形成され、且つ、導光板３０の一対の主面３１ａ，３１ｂ間に画成される側面は四つの面を含んでいる。導光板３０の板面に沿って延びる第１方向ｄ１に対向する二つの側面のうちの一方の側面が、入光面３１ｃをなしている。図１〜図３に示すように、入光面３１ｃに対面して光源２０の発光体２２が設けられている。図１に示すように、入光面３１ｃから導光板３０に入射した光Ｌ１１〜Ｌ１６は、第１方向（導光方向）ｄ１に沿って入光面３１ｃに対向する反対面３１ｄに向け、概ね第１方向（導光方向）ｄ１に沿って導光板３０内を進むようになる。
【００３０】
光源２０は、例えば、線状の冷陰極管等の蛍光灯や、点状のＬＥＤ（発光ダイオード）や白熱電球等の種々の態様で構成され得る。図示された例において、光源２０は、入光面３１ｃの長手方向である第２方向ｄ２に沿って、並べて配置された多数の点状発光体２２、具体的には、多数の発光ダイオード（ＬＥＤ）によって、構成されている。各点状発光体２２の出力、すなわち、各点状発光体２２の点灯および消灯、及び／又は、各点状発光体２２の点灯時の明るさは、他の点状発光体の出力から独立して調節され得ることが好ましい。なお、図示された例において、第１方向ｄ１及び第２方向ｄ２は、互いに直交し、且つ、ともに導光板３０の板面に平行となっている。
【００３１】
次に、図１〜図６を参照して、導光板３０についてさらに詳述する。導光板３０は、一対の対向する主面４１ａ，４１ｂを含む平板状の取出導光層４０を有している。取出導光層４０は、その第１主面４１ａが導光板３０の第１主面３１ａに近接する側に位置し且つその第２主面４１ｂが導光板３０の第２主面３１ｂに近接する側に位置するよう、配置されている。また、図示された例において、導光板３０は、第１主面４１ａの側から取出導光層４０に順に積層された第１低屈折率層５５及び第１カバー層５６と、第２主面４１ｂの側から取出導光層４０に順に積層された第２低屈折率層５７及び第２カバー層５８と、をさらに有している。さらに、図示された例では、取出導光層４０の第２主面４１ｂと第２低屈折率層５７との間に、複数の遮光部６０が間隔をあけて設けられている。
【００３２】
まず、取出導光層４０について説明する。取出導光層４０は、一対の対向する主面をなす第１主面４６ａ及び第２主面４６ｂを有したベース部４５と、ベース部４５内に設けられた光拡散部５０と、を有している。図示された例において、ベース部４５の第２主面４６ｂには、第１方向ｄ１に間を開けて複数の溝４９が形成されている。光拡散部５０は、溝４９内に設けられている。ベース部４５は、導光板３０の外輪郭に対応して、平面視四角形形状の板状部材として形成されている。図示された例において、光拡散部５０は、ベース部４５の対応する溝４９を埋めるようにして当該溝４９の内部に配置されている。そして、取出導光層４０の第１主面４１ａは、ベース部４５の第１主面４６ａによって形成され、取出導光層４０の第２主面４１ｂは、ベース部４５の第２主面４６ｂと光拡散部５０の端面とによって形成されている。
【００３３】
ベース部４５の一対の主面４６ａ，４６ｂ間に、四つの側面が形成されている。そして、第１方向ｄ１に対向する一対の側面４６ｃ，４６ｄのうちの、第１方向ｄ１における光源２０に近接する一側に配置された入光側面４６ｃが、導光板３０の入光面３１ｃを形成し、第１方向ｄ１における光源２０から離間する他側に配置された反対側面４６ｄが、導光板３０の反対面３１ｄを形成している。
【００３４】
ベース部４５は、光源２０からの光を導光する部位であることから、高い透過率を有した材料、例えば、透明な樹脂材料から形成される。一方、光拡散部５０は、入射光を拡散させる機能を有した層であり、取出導光層４０内を進む光の進行方向を変化させる部位である。後述するように、光拡散部５０で進行方向を曲げられた光は、取出導光層４０から出射することが可能となる。すなわち、光拡散部５０は、導光板３０の取出導光層４０内を導光されている光を導光板３０から取り出すための取出要素として機能する。
【００３５】
このような光拡散部５０は、図４〜図６に示すように、樹脂材料からなる主部５０ａと、主部５０ａ中に分散された拡散成分５０ｂと、を有するように構成され得る。ここで、拡散成分とは、反射や屈折等によって、光の進路方向を変化させる機能を発揮し得る成分のことである。拡散成分として、金属化合物、気体を含有した多孔質物質、金属化合物を周囲に保持した樹脂ビーズ、白色微粒子、さらには、単なる気泡が例示される。拡散成分をなす白色粒子として、酸化チタンが添加されたアクリル樹脂粒子を例示することができる。このアクリル樹脂粒子は、光拡散部内に５％以上３０％以下の重量％で含有することができる。白色粒子の平均粒径（平均直径）は、例えば、１μｍ以上１０μｍ以下とすることができる。光拡散部が白色粒子を含有することができるよう、導光板の法線方向に直交する断面における光拡散部の断面積は、白色粒子の平均粒径の二乗よりも大きくなっていてもよい。また、光拡散部が白色粒子を含有することができるよう、光拡散部の前記第１方向に沿った幅ｗａを、平均粒径（平均直径）以上とすることができる。
【００３６】
なお、図示された光拡散部５０は、ベース部４５の溝４９内に形成されてベース部４５とともに四角形薄板状の取出導光層４０をなす。したがって、各光拡散部５０は、溝４９に対応した形状及び配置にて構成されている。このため、以下においては、光拡散部５０の形状および配置を代表として説明し、これにより、溝４９の形状および配置についても説明したこととする。
【００３７】
図１〜図４に示すように、複数の光拡散部５０は、第１方向ｄ１に配列されている。各光拡散部５０は、配列方向である第１方向ｄ１と非平行な方向に延びている。とりわけ図示された例では、図２に示すように、各光拡散部５０は、第１方向ｄ１と直交する第２方向ｄ２に直線状に延びている。また、各光拡散部５０は、その長手方向に直交する断面、すなわち第２方向ｄ２に直交する断面において矩形形状となっている。また、光拡散部５０の断面をなす矩形形状の一対の面は、導光板３０の板面への法線方向ｎｄに沿って延びている。
【００３８】
図示された例において、導光板３０の板面への法線方向ｎｄ（図４参照）に沿った光拡散部５０の高さｈ（図４参照）は、取出導光層４０に含まれる複数の光拡散部５０の間で、一定ではない。光拡散部５０は、上述したように入射光を拡散させ導光板３０からの出射を引き起こす取出要素として、機能する。したがって、光拡散部５０の取出導光層４０内における体積分布によって、取出導光層４０からの出射光量分布を調整することができる。このため、導光方向ｄ１に沿って光源２０から離間した領域において出射光量が低下しやすくなるといった傾向を考慮した上で、光拡散部５０の高さｈを決定することにより、導光方向である第１方向ｄ１における出射光量分布を制御することができる。
【００３９】
図示された例では、第１方向ｄ１に沿った出射光量分布を均一化する観点から、光拡散部５０の高さｈが次のように決定されている。まず、少なくとも一つの光拡散部５０の高さｈが、当該一つの光拡散部５０よりも第１方向ｄ１において光源２０に近接する一側に位置する少なくとも一つの他の光拡散部５０の高さｈよりも高くなっている。これにより、出射光量が低下しやすい導光方向に沿って光源２０から離間した領域においても光拡散部５０に入射しやすくなり、当該光源２０から離間した領域において、出射光量を確保することが可能となる。さらに図示された例では、任意の一つの光拡散部５０の高さが、当該一つの光拡散部５０よりも第１方向ｄ１において光源２０に近接する一側に位置する他の光拡散部５０の高さ以上となっている。或いは、任意の一つの光拡散部５０の高さが、当該一つの光拡散部５０よりも第１方向ｄ１において光源２０に近接する一側に位置する他の光拡散部５０の高さより高くなっている。このような光拡散部５０の高さｈの分布によれば、光源２０から離間するにつれて光拡散部５０に入射しやすくすることができ、結果として、導光方向に沿った出射光量分布を効果的に均一化することができる。
【００４０】
その一方で、第１方向ｄ１に沿った光拡散部５０の幅ｗａは、図示された例のように、取出導光層４０に含まれる複数の光拡散部５０の間で、一定となっていることが好ましい。同様に、第１方向ｄ１に沿った光拡散部５０のピッチも、図示された例のように、取出導光層４０に含まれる複数の光拡散部５０の間で、一定となっていることが好ましい。さらに、第１方向ｄ１に隣り合う二つの光拡散部の当該第１方向ｄ１に沿った離間間隔ｄも、図示された例のように、取出導光層４０に含まれる複数の光拡散部５０の間で、一定となっていることが好ましい。このような構成によれば、ベース部４５と異なる透過率を有していることからベース部４５と区別して視認されやすくなる光拡散部５０を、目立たなくさせることができる。
【００４１】
以上のような取出導光層４０の具体的な寸法は、一例として次のように設定され得る。まず、取出導光層４０の板面への法線方向ｎｄに沿った厚さを、２ｍｍ以上１０ｍｍ以下とすることができる。また、第１方向ｄ１に沿った光拡散部５０の幅ｗａを、１μｍ以上２０μｍ以下とすることができる。さらに、隣り合う二つの光拡散部５０の第１方向ｄ１に沿った離間間隔ｄを、５０μｍ以上５００μｍ以下とすることができる。さらに、取出導光層４０の板面への法線方向ｎｄに沿った光拡散部５０の高さｈを、１μｍ以上５０μｍ以下とすることができる。また、第１方向ｄ１に沿った光拡散部５０の幅ｗａに対する、取出導光層４０の板面への法線方向ｎｄに沿った光拡散部５０の高さｈの比（ｈ／ｗａ）、すなわち光拡散部５０のアスペクト比を０．１以上１０以下とすること、好ましくは１より大きくすることができる。光拡散部５０のアスペクト比が高い場合、導光板３０の板面への法線方向ｎｄに沿った光拡散部５０の投影面積を小さくしながら、導光板３０内に或る程度の体積で光拡散部５０を含ませることが可能となる。すなわち、図３に示すように、法線方向ｎｄから導光板３０を観察した際に、光拡散部５０が目立ってしまうことを防止しながら、光拡散部５０が取出要素として有効に機能することを可能にすることができる。
【００４２】
なお、ベース部４５の一対の主面４６ａ，４６ｂのそれぞれにおいて全反射を繰り返すことによる導光を実現可能とするため、第１方向ｄ１に隣り合ういずれか二つの光拡散部５０が、当該二つの光拡散部５０の第１方向ｄ１に沿った離間間隔ｄと、当該二つの光の光拡散部５０の取出導光層４０の法線方向ｎｄに沿った高さｈ１，ｈ２と、取出導光層４０のベース部４５の屈折率ｎ１と、光拡散部５０が設けられている面４６ｂの側から取出導光層４０に隣接する層５７の屈折率ｎ２と、を用いた次の式（ａ）を満たすようになっている。
ｔａｎ（ａｒｃｓｉｎ（ｎ２／ｎ１））≦ｄ／（ｈ１＋ｈ２）    ・・・式（ａ）
【００４３】
隣接層（図示された例では第２低屈折率層）５７とベース部４５との界面での全反射臨界角度θｔは「ａｒｃｓｉｎ（ｎ２／ｎ１）」となる。この全反射臨界角度θｔが、図４における角度θａ（＝ａｒｃｔａｎ（ｄ／（ｈ１＋ｈ２）））よりも大きくなると、図４に示された二つの光拡散部５０の間となる位置において、ベース部４５の第２主面４６ｂで全反射した光は、必ず、他側に位置する高さｈ２の光拡散部５０へ入射して、ベース部４５内での導光を継続することができなくなる。したがって、第１方向ｄ１に隣り合ういずれか二つの光拡散部５０が、
ａｒｃｓｉｎ（ｎ２／ｎ１）≦ａｒｃｔａｎ（ｄ／（ｈ１＋ｈ２））
を満たす。すなわち式（ａ）を満たす。好ましくは、第１方向ｄ１に隣り合う任意の二つの光拡散部５０が、すべて、式（ａ）を満たす。
【００４４】
以上のような構成からなる取出導光層４０は、一具体例として、次のようにして製造され得る。まず、ベース部４５を、例えば、電子線、紫外線等の電離放射線の照射により硬化する特徴を有するエポキシアクリレート等の硬化性材料を用いて、作製する。次に、硬化することによって光拡散部５０の主部をなすようになる硬化性材料と、光拡散部５０の拡散成分と、を含んだ未硬化で液状の組成物を用いて、光拡散部５０を作製する。硬化することによって光拡散部５０の主部をなすようになる硬化性材料として、電離放射線により硬化する特徴を有するウレタンアクリレート等の硬化性材料を用いることができる。まず、先に形成されたベース部４５上に組成物を供給する。その後、ベース部４５の溝４９の内部に、ドクターブレードを用いながら、組成物を充填しつつ、該溝４９外に溢出した余剰分の組成物を掻き落としていく。なお、掻き落としきれないことを原因としてベース部４５の主面上へ拡散成分が残留することを回避するため、拡散成分の粒径は、１μｍ以上であることが好ましく、また、溝４９の幅の５０％以下となっていることが好ましい。その後、溝４９内の組成物に電離放射線を照射して硬化させることにより、光拡散部５０が形成される。これにより、ベース部４５及び光拡散部５０を有する取出導光層４０が作製される。
【００４５】
次に、第１低屈折率層５５、第１カバー層５６、第２低屈折率層５７及び第２カバー層５８について説明する。まず、取出導光層４０の一対の主面４１ａ，４１ｂに隣接して配置された第１低屈折率層５５及び第２低屈折率層５７は、取出導光層４０のベース部４５よりも低い屈折率を有した層である。ここで説明する導光板３０では、取出導光層４０のベース部４５と低屈折率層５５，５７との界面での反射、とりわけ屈折率差に起因した全反射により、光を導光することを期待している。このため、低屈折率層５５，５７の屈折率は、取出導光層４０のベース部４５の屈折率よりも、０．０３以上低くなっていることが好ましく、０．０６以上低くなっていることがより好ましい。なお、図示された例において、低屈折率層５５，５７は、粘着剤や接着剤等からなる接合層として形成されており、カバー層５６，５８を取出導光層４０に貼合するための層として機能している。
【００４６】
一方、第１カバー層５６及び第２カバー層５８は、導光板３０の一対の主面３１ａ，３１ｂを画成する層である。このようなカバー層５６，５８は、例えば、取出導光層４０や低屈折率層５５，５７よりも耐擦傷性に優れたハードコート層として形成され得る。なお、本件明細書で言及する耐擦傷性は、ＪＩＳ  Ｋ  ５６００−５−４（１９９９年）に準拠して実施される鉛筆硬度試験での試験結果に基づいて評価される。
【００４７】
次に、遮光部６０について説明する。遮光部６０は、取出導光層４０の各光拡散部５０のそれぞれに対応して複数設けられている。また、各遮光部６０は、対応する一つの光拡散部５０に取出導光層４０の法線方向ｎｄから対面するように配置されている。図示された例では、各遮光部６０は、取出導光層４０の第２主面４１ｂと第２低屈折率層５７との間に設けられている。この遮光部６０は、取出導光層４０の各光拡散部５０で拡散された光のうち、第２主面４１ｂ側に進行方向を曲げられた光が第２主面４１ｂから出光し、照明装置１０の反対面１０ｂから光が漏れることを抑制する機能を有する。
【００４８】
図１〜図６に示された例では、複数の光拡散部５０が、第１方向ｄ１に沿って配列され、遮光部６０の第１方向ｄ１に沿った幅ｗｂは、当該遮光部６０に対応する光拡散部５０の第１方向ｄ１に沿った幅ｗａよりも広くなっている。また、光拡散部５０は、当該光拡散部５０に対応する遮光部６０に取出導光層４０の法線方向ｎｄに沿って対向する領域内に配置されている。
【００４９】
遮光部６０は、遮光部へ入射した光が遮光部の入射した側とは反対側へ遮光部内を透過することを抑制する遮光機能を発揮する。遮光部６０は、光取出要素としての光拡散部５０で拡散された光が、第２主面３１ｂを介して取出導光層４０から出射することを抑制する。遮光部６０の遮光機能は、例えば、遮光部６０での光の吸収及び／または反射により発現され得る。このような遮光部６０としては、取出導光層４０から入射した光を吸収する層を含む光吸収層、取出導光層４０から入射した光を取出導光層４０側に反射する層を含む光反射層、または、取出導光層４０から入射した光を吸収する層と取出導光層４０から入射した光を取出導光層４０側に反射する層をともに含む光反射吸収積層体を例示することができる。
【００５０】
光吸収層は、取出導光層４０から入射した光を吸収する機能を有すればよく、例えば黒色等の暗色の層であることが好ましい。この光吸収層は、例えば、暗色粒子を含有する組成物または暗色材料の塗膜を、公知の印刷技術を用いて設けることができる。暗色粒子としては、例えば、カーボンブラック、グラファイト、黒色酸化鉄等の金属塩等、顔料または染料、顔料または染料で着色された樹脂粒子等が挙げられる。また、電界めっき及び無電界めっきを含むめっき法、スパッタリング法、ＣＶＤ法、ＰＶＤ法、イオンプレーティング法、又はこれらの二以上を組み合わせた方法により、取出導光層４０の第２主面４１ｂ上に暗色層を設け、その後、公知のフォトリソグラフィー技術を用いてパターニングすることにより設けてもよい。暗色層の材料としては、種々の公知のものを用いることができる。例えば窒化銅、酸化銅、窒化ニッケル等が例示できる。
【００５１】
光反射層は、取出導光層４０から入射する光を取出導光層４０側に反射する機能を有すればよく、例えば白色等の明色の層、または、銀色等の光沢を有する層であることが好ましい。この光反射層は、例えば、明色粒子または光沢粒子を含有する組成物、あるいは、明色材料または光沢材料の塗膜を、公知の印刷技術を用いて設けることができる。明色粒子としては、例えば、酸化チタン、酸化アルミニウム、顔料または染料、顔料または染料で着色された樹脂粒子等が挙げられる。また、光沢粒子としては、例えば、アルミニウム、銀等の金属粒子、アルミニウム、銀等の金属で被覆された樹脂粒子等が挙げられる。また、上述の光吸収層の場合と同様にして、取出導光層４０の第２主面４１ｂ上に明色層または光沢層を設け、その後、公知のフォトリソグラフィー技術を用いてパターニングすることにより設けてもよい。
【００５２】
光反射吸収積層体は、例えば、上述の光反射層と光吸収層とを積層することにより得られる。とりわけ、光反射層及び光吸収層を取出導光層４０にこの順番で積層することによって、これらの光反射層及び光吸収層から光反射吸収積層体を形成するようにしてもよい。このような光反射吸収積層体によれば、取出導光層４０から入射した光を光反射層で取出導光層４０側に反射することができる。また、光反射層を透過する光があっても、光反射層の取出導光層４０に対面する側とは反対側に設けられた光吸収層で、この光反射層を透過した光を吸収することができる。したがって、取出導光層４０から入射した光をより効果的に遮光することができる。
【００５３】
また、遮光部６０を、上述の取出導光層４０の光拡散部５０と同様の材料を用いて作製してもよい。
【００５４】
図１、図２、図４及び図５に示されているように、各遮光部６０はそれぞれ、対応する一つの光拡散部５０に取出導光層４０の板面に対する法線方向から対向する位置に配置されている。とりわけ図示された例では、各遮光部６０はそれぞれ、取出導光層４０と第２低屈折率層５７との間に、対応する一つの光拡散部５０に取出導光層４０の法線方向から対向するように配置されている。図示された例において、複数の遮光部６０は、各光拡散部５０の配列に対応して、第１方向ｄ１に配列されている。また、各遮光部６０は、配列方向である第１方向ｄ１と非平行な方向に延びている。とりわけ図示された例では、図３に示されているように、各遮光部６０は、各光拡散部５０に対応して、第１方向ｄ１と直交する第２方向ｄ２に直線状に延びている。
【００５５】
遮光部６０が、光拡散部５０で拡散された光が第２主面３１ｂを介して取出導光層４０から出射することを有効に規制することを実現するため、導光板３０が次のように設計され得る。
【００５６】
まず、図６に示すように、取出導光層４０の光拡散部５０で拡散されてベース部４５内を第２主面４１ｂ側に進む光の進行方向が、ベース部４５の第２主面４６ｂの法線方向に対してなす角度、すなわち光拡散部５０での拡散光の第２主面４６ｂへの入射角度を、角度θｉとする（図６参照）。取出導光層４０の光拡散部５０で拡散されてベース部４５内を第２主面４１ｂ側に進む光のうち、この角度θｉがベース部４５と隣接層（図示された例では第２低屈折率層）５７との界面での全反射臨界角度θｔ以上となっている光は、ベース部４５と隣接層５７との界面で全反射して、取出導光層４０内で進行方向を第１主面４１ａ側に逆転させる。これに対して、光拡散部５０での拡散光の第２主面４６ｂへの入射角度θｉが全反射臨界角度θｔ未満となる光は、ベース部４５と隣接層５７との界面で全反射せずに、第２主面４１ｂを介して取出導光層４０から出射する。このベース部４５と隣接層５７との界面で全反射せずに第２主面４１ｂを介して取出導光層４０から出射する光を効果的に遮光するため、第１方向ｄ１および取出導光層４０の法線方向ｎｄの両方に平行な主切断面において、光拡散部５０の第１方向ｄ１における一方の側の端部と当該光拡散部５０に対応する遮光部６０の第１方向ｄ１における一方の側の端部との間の第１方向ｄ１に沿った距離ｘと、当該遮光部６０の当該光拡散部５０に対向する面と当該光拡散部５０の当該遮光部６０に対向する側とは反対側の端部との間の取出導光層４０の法線方向ｎｄに沿った距離ｙと、ベース部４５の屈折率ｎ１と、第１方向ｄ１に沿って隣り合う二つの遮光部６０の間においてベース部４５に前記法線方向に沿って遮光部５０と同じ側から隣接する部位（図示された例では第２低屈折率層５７）の屈折率ｎ２とが、次の条件を満たすことが好ましい。
ａｒｃｔａｎ（ｙ／ｘ）≦ａｒｃｃｏｓ（ｎ２／ｎ１）    ・・・式（ｂ）
【００５７】
次に、第１方向ｄ１および取出導光層４０の法線方向ｎｄの両方に平行な主切断面において、ベース部４５と隣接層５７との界面への入射点Ｍと、光拡散部５０の第１方向ｄ１における入射点Ｐ側の面における当該光拡散部５０の遮光部６０に対向する側とは反対側の端部Ｐとを結ぶ直線ＭＰと、ベース部４５の第２主面４６ｂと、のなす角をθｂとすると、この角度θｂは、光拡散部５０での拡散光の第２主面４６ｂへの入射角度θｉとの間で次の条件を満たす。
θｉ＝９０−θｂ（°）
そして、図６の直線ＭＰに沿って進む光が、全反射臨界角度θｔで、ベース部４５と隣接部位（図示された例では第２低屈折率層）５７との界面の入射する場合、次の関係が成り立つ。
ｎ１×ｓｉｎ（９０−θｂ）＝ｎ２×ｓｉｎ９０°
が成り立つ。これよりθｂは、
θｂ＝ａｒｃｃｏｓ（ｎ２／ｎ１）
となる。
【００５８】
一方、図６において、直線ＮＰは、遮光部６０の取出導光層４０の法線方向ｎｄにおける取出導光層４０側の面の第１方向ｄ１における一方の側の端部Ｎと、光拡散部５０の第１方向ｄ１における点Ｎ側の面における当該光拡散部５０の遮光部６０に対向する側とは反対側の端部Ｐとを結んでいる。この直線ＮＰと、ベース部４５の第２主面４６ｂと、のなす角度をθｃとすると、この角度θｃは、上述した距離ｘ及び距離ｙとの間で、次の関係を満たす。
θｃ＝ａｒｃｔａｎ（ｙ／ｘ）
となる。
【００５９】
そして、θｃ≦θｂであるとき、すなわち式（ｂ）が成り立つときに、ベース部４５と隣接層５７との界面で全反射せずに導光板３０の第２主面３１ｂ側に進む光を、遮光部６０で吸収または反射することにより、効果的に遮光することができる。好ましくは、すべての遮光部６０が、式（ｂ）を満たす。
【００６０】
なお、第１方向ｄ１に沿った遮光部６０の幅ｗｂは、複数の遮光部６０の間で一定の幅を有するようにしてもよい。この場合、各遮光部６０の幅ｗｂは、複数の光拡散部５０のうち最大の高さを有する光拡散部５０の高さｈｍａｘに対応する幅とすることが好ましい。とりわけ、各遮光部６０の幅ｗｂを、式（ｂ）においてｙ＝ｈｍａｘとして、式（ｂ）を満たすようなｘを有する幅とすることがより好ましい。このような一定の幅を有する複数の遮光部６０によれば、ベース部４５と隣接層５７との界面で全反射せずに導光板３０の第２主面３１ｂ側に進む光を効果的に遮光し、且つ、照明装置１０の非出光面１０ｂ側から出光面１０ａ側へ透過する外光の光量分布を効果的に均一化することができる。
【００６１】
また、第１方向ｄ１に沿った遮光部６０の幅ｗｂは、複数の遮光部６０の間で異なる幅を有するようにしてもよい。この場合、各遮光部６０の幅ｗｂは、それぞれ対応する光拡散部５０の高さｈが小さくなるほど各遮光部６０の幅ｗｂが小さくなるようにすることが好ましい。とりわけ、各遮光部６０において、それぞれ式（ｂ）を満たすようなｘを有する幅とすることがより好ましい。このような異なる幅を有する複数の遮光部６０によれば、ベース部４５と隣接層５７との界面で全反射せずに導光板３０の第２主面３１ｂ側に進む光を効果的に遮光し、且つ、遮光部６０における取出導光層４０の板面に沿った面積の合計を減少させ、照明装置１０の反対面（非発光面）１０ｂ側から出光面１０ａ側へ透過する外光の光量を効果的に増大することができる。
【００６２】
以上のような遮光部６０の第１方向ｄ１に沿った幅ｗｂを、２μｍ以上１００μｍ以下とすることができる。また、遮光部６０の、取出導光層４０の法線方向ｎｄに沿った厚さを、１μｍ以上１０μｍ以下とすることができる。
【００６３】
次に、以上のような構成からなる照明装置１０及び導光板３０の作用について説明する。
【００６４】
まず、図１に示すように、光源２０をなす発光体２２で発光された光は、入光面３１ｃを介し、導光板３０の取出導光層４０内に入射する。取出導光層４０をなす材料の屈折率が、通常、１．４〜１．６であることに起因して、図１に示すように、屈折率１の空気層から取出導光層４０のベース部４５内に入射した光Ｌ１１〜Ｌ１６の進行方向は、ベース部４５の入光側面４６ｃ（導光板３０の入光面３１ｃ）への法線方向に対して、すなわち第１方向ｄ１に対して大きく傾斜することはない。そして、取出導光層４０のベース部４５へ入射した光Ｌ１１〜Ｌ１６の多くは、ベース部４５の第１主面４６ａおよび第２主面４６ｂにおいて、反射、とりわけベース部４５とベース部４５に隣接する低屈折率層５５，５７との屈折率差に起因した全反射を繰り返し、ベース部４５の入光側面４６ｃと反対側面４６ｄとを結ぶ導光方向、とりわけ図示された例では第１方向ｄ１へ進んでいく。
【００６５】
ただし、取出導光層４０内には、第１方向ｄ１に間隔をあけて光拡散部５０が設けられている。光拡散部５０は、ベース部４５の溝４９内に形成され、取出導光層４０の法線方向ｎｄに沿って取出導光層４０の第２主面４１ｂから取出導光層４０内に延び出している。したがって、取出導光層４０のベース部４５内を進む光は、この光拡散部５０に入射することもある。そして、図１に示すように、ベース部４５内を進む光は、光拡散部５０に入射すると、光拡散部５０での拡散機能によって進行方向を曲げられる。
【００６６】
この結果、光拡散部５０で拡散された光は、全反射臨界角度以下の角度で取出導光層４０の第１主面４１ａに入射し、第１主面４１ａを介して取出導光層４０から出射するようになる。このような光は、第１低屈折率層５５及び第１カバー層５６を透過して、発光面１０ａをなす第１主面３１ａを介して導光板３０から照明光として出射する。
【００６７】
光拡散部５０は、導光方向である第１方向に配列されている。したがって、取出導光層４０のベース部４５内を進行する光は、導光方向に沿った各区域において、光拡散部５０に入射する。このため、取出導光層４０のベース部４５内を進んでいる光は、導光方向に沿った各区域において、導光板３０から出射するようになる。とりわけ上述したように光拡散部５０の高さｈが調節されている場合には、導光方向に沿って光源に近接する側での出射光量が多くなり且つ導光方向に沿って光源から離間する側での出射光量が少なくなるといった傾向を効果的に解消し、導光方向に沿った各位置からの出射光量の分布を効果的に均一化することができる。より具体的には、少なくとも一つの光拡散部５０の高さｈが、当該一つの光拡散部５０よりも第１方向ｄ１において光源側に位置する少なくとも一つの他の光拡散部５０の高さよりも高い場合、より好ましくは、任意の一つの光拡散部５０の高さｈが、当該一つの光拡散部５０よりも第１方向ｄ１において光源側に位置する他の光拡散部５０の高さｈ以上または他の光拡散部５０の高さｈよりも高い場合、導光方向に沿った各位置からの出射光量の分布を効果的に均一化することが可能となる。
【００６８】
また、光拡散部５０での拡散によって、取出導光層４０の第２主面４１ｂ（ベース部４５の第２主面４６ｂ）に向かう光も生じる。このような光のうち、この光の進行方向とベース部４５の第２主面４６ｂの法線方向とのなす角度が、ベース部４５と隣接層（図示された例では第２低屈折率層）５７との界面での全反射臨界角度以上の角度で入射した光は、ベース部４５と隣接層５７との界面で全反射して、取出導光層４０の第１主面４１ａ側に進行方向を曲げられる。また、光の進行方向とベース部４５の第２主面４６ｂの法線方向とのなす角度が、ベース部４５と隣接層５７との界面での全反射臨界角度未満の角度で入射した光は、取出導光層４０の第２主面４１ｂと第２低屈折率層５７との間に、取出導光層４０に設けられた各光拡散部５０にそれぞれ対応して設けられた複数の遮光部６０で吸収または反射される。これにより、取出導光層４０の各光拡散部５０で拡散された光のうち、第２主面４１ｂ側（ベース部４５の第２主面４６ｂ側）に進行方向を曲げられた光が第２主面４１ｂから出光し、照明装置１０の反対面（非発光面）１０ｂから光が漏れることを効果的に抑制することができる。
【００６９】
以上のようにして、導光板３０の第１主面３１ａから光が出射することにより、照明装置１０の発光面１０ａが照明光を発光する。
【００７０】
ところで、従来の導光板では、裏面に設けた拡散性物質の密度を導光方向に沿って変化させることによって出射光量を制御していた。したがって、従来の導光板では、拡散性物質が、パターンを持って、導光板の裏面に設けられていた。そして、拡散性物質のパターンが視認されることにより、意匠性の低下や高級感の喪失等の外観上の問題から、従来の照明装置の使用範囲が制限されてきた。加えて、拡散反射パターンの面積変化だけでは、出射光量の全体的な分布を制御することしかできず、自由な出射光量制御を実現することが不可能であった。
【００７１】
その一方で、本実施の形態による照明装置１０及び導光板３０では、このような従来の不具合を解消することができる。まず、本実施の形態による照明装置１０及び導光板３０では、導光板３０の光取出要素となる光拡散部５０の高さｈを調整することにより、導光板３０からの出射光量の導光方向（第１方向）ｄ１に沿った分布を制御している。そして、法線方向ｎｄから導光板３０を観察した場合、光拡散部５０間での高さｈの変化は感知され難い。
【００７２】
また、本実施の形態の導光板３０では、光拡散部５０の第１方向ｄ１に沿った幅ｗや、第１方向ｄ１に隣り合う二つの光拡散部５０の離間間隔ｄを、出射光量分布の制御に利用しなくてもよい。このため、光拡散部５０の第１方向ｄ１に沿った幅ｗａや、第１方向ｄ１に隣り合う二つの光拡散部５０の離間間隔ｄを、導光板３０内において一定にすることも可能である。この場合、図３に示すように、導光板３０の法線方向ｎｄに沿った光拡散部５０の投影面積は同一となり、複数の光拡散部５０の間での構成の相違は、殆ど感知することができない。
【００７３】
加えて、光拡散部５０の第１方向ｄ１に沿った幅ｗａを十分に小さくしておけば、光拡散部５０の存在自体を感知し難くすることができる。具体的には、導光板３０のヘイズ値が、０．１％以上１０％以下となっていることが好ましい。ヘイズ値は、ヘイズメーター（村上色彩技術研究所製、製品番号；ＨＭ−１５０）を用いてＪＩＳ  Ｋ７１３６に準拠した方法により測定することができる。
【００７４】
さらに、隣り合う二つの光拡散部５０の間で、高さｈを大きく変化させることも可能であることから、導光方向に沿った出射光量の分布を非常に高い自由度で制御することができる。
【００７５】
以上のような本実施の形態によれば、導光板３０は、一対の主面４６ａ，４６ｂを有するベース部４５と、ベース部４５内に設けられた複数の光拡散部５０と、を有する取出導光層４０と、各光拡散部５０にそれぞれ対応して設けられた複数の遮光部６０と、を備え、各遮光部６０は、対応する一つの光拡散部５０に取出導光層４０の法線方向ｎｄから対向する位置に配置されている。このような導光板３０によれば、導光板３０から光を取り出すための取出要素として機能する光拡散部５０を効果的に目立たなくさせることができる。したがって、導光板３０から光を取り出すための取出要素が感知されることによって照明装置１０のデザイン性が損なわれることを、効果的に回避することができる。これにより、照明装置１０に優れた意匠性を付与することも可能となり、さらに、種々の設置位置に対して照明装置１０を調和させることができる。
【００７６】
また、取出導光層４０の各光拡散部５０で拡散された光のうち、第２主面４１ｂ側（ベース部４５の第２主面４６ｂ側）に進行方向を曲げられた光が第２主面４１ｂから出光し、照明装置１０の非出光面１０ｂから光が漏れることを効果的に抑制することができる。したがって、照明装置１０の出光面１０ａ側に配置された商品等を照明しつつ、照明装置１０の反対面（非発光面）１０ｂ側から、出光面（発光面）１０ａ側に配置された商品等を視認することが可能となる。
【００７７】
また、本実施の形態によれば、取出導光層４０に隣接して低屈折率層５５，５７が設けられている。そして、取出導光層４０のベース部４５内を進む光が反射する界面が、ベース部４５と低屈折率層５５，５７との間に形成されている。すなわち、取出導光層４０のベース部４５内を進む光が反射する界面が露出していない。このため、取出導光層４０のベース部４５内を進む光が反射することを予定された界面の損傷や異物付着を効果的に防止することができる。これにより、導光板３０内における導光のための光の反射が阻害されることを効果的に防止することができる。さらに、第１の実施の形態では、ベース部４５や低屈折率層５５，５７よりも耐擦傷性に優れたカバー層５６，５８によって、導光板３０の表面が形成されている。したがって、導光板３０を進む光が反射することを予定された界面の損傷や異物付着をより効果的に防止することができる。
【００７８】
なお、上述した本実施の形態において、第１低屈折率層５５、第１カバー層５６及び第２カバー層５８は、必須ではなく、一以上を導光板３０から省くことができる。
【００７９】
また、上述した本実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００８０】
上述した実施の形態において、複数の遮光部６０を、取出導光層４０の第２主面４１ｂと第２低屈折率層５７との間に設けたが、これに限られない。図７に一変形例を示す。図示された例において、ベース部４５の第２主面４６ｂに、対応する各光拡散部５０に取出導光層４０の法線方向から対向する位置に、第１方向ｄ１に間を開けて複数の溝４８が形成されている。そして、遮光部６０はベース部４５の溝４８を埋めるようにして当該溝４８の内部に配置されている。この場合、取出導光層４０の第２主面４１ｂは、ベース部４５の第２主面４６ｂと、遮光部６０の反対面（非発光面）１０ｂ側の面とによって形成される。
【００８１】
図８に他の変形例を示す。図示されているように、遮光部６０を、第２カバー層５８の取出導光層４０側の面に設けるようにしてもよい。この場合、第２カバー層５８を基材として、まず第２カバー層５８上に複数の遮光部６０を設け、複数の光拡散部５０が設けられた取出導光層４０と、複数の遮光部６０及び第２カバー層５８とを、光拡散部５０と遮光部６０が対向するようにして、粘着剤や接着剤等からなる接合層を介して接合することで、導光板３０を作製することができる。この場合、取出導光層４０と第２カバー層５８とを接合する接合層が低屈折率層５７とすることができる。このような一変形例によれば、第２カバー層５８を基材として、この第２カバー層５８上に複数の遮光部６０を設ければよいので、導光板３０の作製が容易になる。
【００８２】
さらに他の変形例を図９に示す。図示されているように、遮光部６０を、第２カバー層５８の取出導光層４０側の面に設け、遮光部６０及び第２カバー層５８と、取出導光層４０とを、スペーサー７０を介して積層してもよい。この場合、遮光部６０及び第２カバー層５８と、取出導光層４０との間に存在する空気等の層が、取出導光層４０の法線方向における遮光部６０と同じ側から取出導光層４０に隣接する部位となる。このような他の変形例によれば、取出導光層４０に隣接する部位が空気等の層であるので、取出導光層４０のベース部４５と、取出導光層４０に隣接する部位との間の全反射臨界角度θｔが小さくなり、第１方向ｄ１に沿った遮光部６０の幅ｗｂを小さくすることができる。したがって、遮光部６０を効果的に目立たなくすることができる。
【００８３】
さらに、上述した実施の形態において、導光板３０が、第１低屈折率層５５、第１カバー層５６、第２低屈折率層５７及び第２カバー層５８を有する例を示した。このような例においては、導光板３０からの光の取出しを促進するため、第１低屈折率層５５及び第１カバー層５６の少なくとも一方が、拡散成分を含有していることが好ましい。なお、第１低屈折率層５５、第１カバー層５６、第２低屈折率層５７及び第２カバー層５８は、必須ではなく、一以上を導光板３０から省くことができる。
【００８４】
なお、以上において上述した実施の形態に対するいくつかの変形例を説明してきたが、当然に、複数の変形例を適宜組み合わせて適用することも可能である。
【符号の説明】
【００８５】
１０    照明装置
１０ａ  出光面
１０ｂ  非出光面
２０    光源
２２    発光体
３０    導光板
３１ａ  導光板の第１主面
３１ｂ  導光板の第２主面
３１ｃ  入光面
４０    取出導光層
４１ａ  取出導光層の第１主面
４１ｂ  取出導光層の第２主面
４５    ベース部
４６ａ  ベース部の第１主面
４６ｂ  ベース部の第２主面
４８    溝
４９    溝
５０    光拡散部
５０ａ  主部
５０ｂ  拡散成分
５５    第１低屈折率層
５６    第１カバー層
５７    第２低屈折率層
５８    第２カバー層
６０    遮光部
７０    スペーサー
【図１】
0006418486.tif 000002
【図２】
0006418486.tif 000003
【図３】
0006418486.tif 000004
【図４】
0006418486.tif 000005
【図５】
0006418486.tif 000006
【図６】
0006418486.tif 000007
【図７】
0006418486.tif 000008
【図８】
0006418486.tif 000009
【図９】
0006418486.tif 000010